【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
不飽和脂肪酸成分を含む絶縁性液体とトナー粒子とを有する液体現像剤を用いて記録媒体に形成された像を、定着ローラにより前記記録媒体に定着する定着方法であって、
前記定着ローラ表面に、前記不飽和脂肪酸成分の酸化重合反応を促進させる酸化重合促進剤を付与する付与工程と、
前記定着工程において、前記像に含まれる前記不飽和脂肪酸成分と、前記定着ローラに付与された前記酸化重合促進剤とを接触させ、前記記録媒体に前記像を定着させる定着工程と、
を有することを特徴とする定着方法。
【請求項２】
前記酸化重合促進剤は、脂肪酸金属塩である請求項１に記載の定着方法。
【請求項３】
前記酸化重合促進剤は、前記酸化重合促進剤に不活性な液体に分散または溶解されている請求項１または２に記載の定着方法。
【請求項４】
前記酸化重合促進剤に不活性な液体は、飽和脂肪酸成分を有する油脂である請求項３に記載の定着方法。
【請求項５】
前記定着ローラの温度は、８０〜２００℃である請求項１ないし４のいずれか１項に記載の定着方法。
【請求項６】
定着ローラと、
前記定着ローラに、酸化重合促進剤を付与する酸化重合促進剤付与部と、を有することを特徴とする定着装置。
【請求項７】
前記定着ローラに押圧して、記録媒体に対して圧力を加える加圧ローラを有する請求項６に記載の定着装置。
【請求項８】
前記酸化重合促進剤付与部は、ローラである請求項６または７に記載の定着装置。
【請求項９】
前記酸化重合促進剤付与部は、ブラシである請求項６または７に記載の定着装置。
【請求項１０】
前記記録媒体に像を定着させた後に、前記定着ローラに付着した前記酸化重合促進剤を除去する酸化重合促進剤除去部を有する請求項６ないし９のいずれか１項に記載の定着装置。
【請求項１１】
不飽和脂肪酸成分を含む絶縁性液体とトナー粒子とを有する液体現像剤を貯留する液体現像剤貯留部と、
前記液体現像剤貯留部より供給された前記液体現像剤を用いて現像する現像部と、
像担持体と、
前記現像部で前記像担持体に現像された像を記録媒体に転写する転写部と、
前記像を、前記記録媒体に定着する定着ローラ、前記定着ローラに押圧して前記記録媒体に対して圧力を加える加圧ローラ、及び前記不飽和脂肪酸成分の酸化重合反応を促進させる酸化重合促進剤を付与する酸化重合促進剤付与手段を有する定着部と、
を備えることを特徴とする画像形成装置。
【手続補正２】
【補正対象書類名】明細書
【補正対象項目名】発明の名称
【補正方法】変更
【補正の内容】
【発明の名称】定着方法、定着装置および画像形成装置
【手続補正３】
【補正対象書類名】明細書
【補正対象項目名】０００１
【補正方法】変更
【補正の内容】
【０００１】
本発明は、定着方法、定着装置および画像形成装置に関するものである。
【手続補正４】
【補正対象書類名】明細書
【補正対象項目名】０００６
【補正方法】変更
【補正の内容】
【０００６】
本発明の目的は、トナー粒子を記録媒体に強固に定着させることが可能な定着方法、定着装置および画像形成装置を提供することにある。
【手続補正５】
【補正対象書類名】明細書
【補正対象項目名】０００７
【補正方法】変更
【補正の内容】
【０００７】
このような目的は、下記の本発明により達成される。
本発明の定着方法は、不飽和脂肪酸成分を含む絶縁性液体とトナー粒子とを有する液体現像剤を用いて記録媒体に形成された像を、定着ローラにより前記記録媒体に定着する定着方法であって、
前記定着ローラ表面に、前記不飽和脂肪酸成分の酸化重合反応を促進させる酸化重合促進剤を付与する付与工程と、
前記定着工程において、前記像に含まれる前記不飽和脂肪酸成分と、前記定着ローラに付与された前記酸化重合促進剤とを接触させ、前記記録媒体に前記像を定着させる定着工程と、
を有することを特徴とする。
【手続補正６】
【補正対象書類名】明細書
【補正対象項目名】０００９
【補正方法】変更
【補正の内容】
【０００９】
本発明の定着方法では、前記酸化重合促進剤は、脂肪酸金属塩であることが好ましい。
これにより、より確実に不飽和脂肪酸成分の酸化重合反応を生じさせることができる。
本発明の定着方法では、前記酸化重合促進剤は、前記酸化重合促進剤に不活性な液体に分散または溶解されていることが好ましい。
これにより、酸化重合促進剤の不本意な変質を効果的に防止することができ、酸化重合促進剤の機能を損なうことなく発揮させることができる。
【手続補正７】
【補正対象書類名】明細書
【補正対象項目名】００１０
【補正方法】変更
【補正の内容】
【００１０】
本発明の定着方法では、前記酸化重合促進剤に不活性な液体は、飽和脂肪酸成分を有する油脂であることが好ましい。
飽和脂肪酸成分で構成された油脂は、脂肪酸金属塩の分散性に特に優れた液体である。また、飽和脂肪酸成分で構成された油脂は、環境に優しい成分である。したがって、定着装置外への漏出や廃棄等による環境への負荷を低減することができる。
本発明の定着方法では、前記定着ローラの温度は、８０〜２００℃であることが好ましい。
これにより、不飽和脂肪酸成分の酸化重合反応をより効果的に進行させることができ、トナー粒子の定着強度をより効果的に向上させることができる。
【手続補正８】
【補正対象書類名】明細書
【補正対象項目名】００１１
【補正方法】変更
【補正の内容】
【００１１】
本発明の定着装置は、定着ローラと、
前記定着ローラに、酸化重合促進剤を付与する酸化重合促進剤付与部と、を有することを特徴とする。
これにより、特に高い温度に加熱しなくても、トナー粒子を記録媒体上に強固に定着させることができる。さらに、定着に大きな熱量を必要としないため、前述した定着ニップ部を通過する時間を比較的短いものとしても、十分にトナー粒子を記録媒体上に定着させることができる。すなわち、定着に時間がかからないため、印刷速度のさらなる高速化を図ることができる。また、定着に大きい熱量を必要としないため、省エネルギー化も図ることができる。
【手続補正９】
【補正対象書類名】明細書
【補正対象項目名】００１２
【補正方法】変更
【補正の内容】
【００１２】
本発明の定着装置では、前記定着ローラに押圧して、記録媒体に対して圧力を加える加圧ローラを有することが好ましい。
これにより、より確実に不飽和脂肪酸成分の酸化重合反応を生じさせ、より強固に定着させることができる。
【手続補正１０】
【補正対象書類名】明細書
【補正対象項目名】００１３
【補正方法】変更
【補正の内容】
【００１３】
本発明の定着装置では、前記酸化重合促進剤付与部は、ローラであることが好ましい。
これにより、定着ローラ上により均一に酸化重合促進剤を付与することができる。
本発明の定着装置では、前記酸化重合促進剤付与部は、ブラシであることが好ましい。
これにより、定着ローラ上により均一に酸化重合促進剤を付与することができる。
【手続補正１１】
【補正対象書類名】明細書
【補正対象項目名】００１４
【補正方法】変更
【補正の内容】
【００１４】
本発明の定着装置では、前記記録媒体に像を定着させた後に、前記定着ローラに付着した前記酸化重合促進剤を除去する酸化重合促進剤除去部を有することが好ましい。
これにより、酸化重合促進剤を付与する際の定着ローラの表面状態を良好なものとすることができ、より均一に酸化重合促進剤を付与することができる。
本発明の画像形成装置は、不飽和脂肪酸成分を含む絶縁性液体とトナー粒子とを有する液体現像剤を貯留する液体現像剤貯留部と、
前記液体現像剤貯留部より供給された前記液体現像剤を用いて現像する現像部と、
像担持体と、
前記現像部で前記像担持体に現像された像を記録媒体に転写する転写部と、
前記像を、前記記録媒体に定着する定着ローラ、前記定着ローラに押圧して前記記録媒体に対して圧力を加える加圧ローラ、及び前記不飽和脂肪酸成分の酸化重合反応を促進させる酸化重合促進剤を付与する酸化重合促進剤付与手段を有する定着部と、
を備えることを特徴とする。
【手続補正１２】
【補正対象書類名】明細書
【補正対象項目名】００１５
【補正方法】変更
【補正の内容】
【００１５】
以下、本発明の定着方法、定着装置および画像形成装置の好適な実施形態について説明する。
本発明の定着方法は、液体現像剤を構成する絶縁性液体として不飽和脂肪酸成分を含むものを用い、該液体現像剤で形成された記録媒体上のトナー画像を、定着ローラにて定着する際に、トナー画像中に含まれる不飽和脂肪酸成分と、該不飽和脂肪酸成分の酸化重合を促進させる酸化重合促進剤とを接触させることにより、不飽和脂肪酸成分を酸化重合させる点に特徴を有している。